(57)【要約】      （修正有）【課題】表示装置が置かれた環境に応じて、同期信号の通信を調整することを可能にする表示装置を提供する。【解決手段】映像を表示する表示部と、前記映像のフレーム画像の表示に同期する同期信号を送信する送信部と、前記同期信号の到達範囲を調整する調整部と、を備える。前記送信部は、前記表示部の幅方向において、互いに異なる位置に配設された第１送信部及び第２送信部を備え、前記調整部は、前記第１送信部から送信される前記同期信号が到達する第１の到達範囲と、前記第２送信部から送信される前記同期信号が到達する第２の到達範囲と、を決定する決定部と、を含む。【選択図】図１
2011228797.tif 000002
【特許請求の範囲】
【請求項１】
映像を表示する表示部と、
前記映像のフレーム画像の表示に同期する同期信号を送信する送信部と、
前記同期信号の到達範囲を調整する調整部と、を備えることを特徴とする表示装置。
【請求項２】
前記送信部は、前記表示部の幅方向において、互いに異なる位置に配設された第１送信部及び第２送信部を備え、
前記調整部は、前記第１送信部から送信される前記同期信号が到達する第１の到達範囲と、前記第２送信部から送信される前記同期信号が到達する第２の到達範囲と、を決定する決定部と、を含むことを特徴とする請求項１記載の表示装置。
【請求項３】
前記第１の到達範囲及び前記第２の到達範囲は、部分的に重なり合うことを特徴とする請求項２記載の表示装置。
【請求項４】
前記送信部は、前記表示部の幅方向において、前記第１送信部及び前記第２送信部とは異なる位置に配設された第３送信部を備え、
前記決定部は、前記第３送信部から送信される前記同期信号が到達する第３の到達範囲を決定することを特徴とする請求項２又は３に記載の表示装置。
【請求項５】
前記第３の到達範囲は、前記第１の到達範囲及び前記第２の到達範囲のうち少なくとも一方と部分的に重なり合うことを特徴とする請求項４記載の表示装置。
【請求項６】
前記送信部は、前記表示部の幅方向において、前記第１送信部、前記第２送信部及び前記第３送信部とは異なる位置に配設された第４送信部を備え、
前記決定部は、前記第４送信部から送信される前記同期信号が到達する第４の到達範囲を決定し、
前記第１送信部及び前記第２送信部は、前記第１の到達範囲及び前記第２の到達範囲が部分的に重なり合うように互いに隣接して配置され、第１送信ユニットを構成し、
前記第３送信部及び前記第４送信部は、前記第３の到達範囲及び前記第４の到達範囲が部分的に重なり合うように互いに隣接して配置され、第２送信ユニットを構成し、
前記第１送信ユニットは、前記表示部の幅方向中心位置に対して、第１の方向にずれた位置に配設され、
前記第２送信ユニットは、前記表示部の幅方向中心位置に対して、前記第１の方向とは反対方向にずれた位置に配設されることを特徴とする請求項４記載の表示装置。
【請求項７】
前記第１送信部は、赤外線を前記同期信号として発光させる第１発光ダイオードを含み、
前記第２送信部は、赤外線を前記同期信号として発光させる第２発光ダイオードを含み、
前記第１発光ダイオードは、前記第２発光ダイオードが提供する前記第２の到達範囲よりも細長い第１の到達範囲を提供する配光特性を有することを特徴とする請求項２乃至６いずれか１項に記載の表示装置。
【請求項８】
前記同期信号の前記到達範囲に関する要求情報が入力される入力部を更に備え、
前記要求情報は、前記第１発光ダイオード及び前記第２発光ダイオードの位置と所定の位置との間の関係を表す位置情報と、該所定の位置において必要とされる前記赤外線の照度値に関する照度情報を含み、
前記決定部は、前記所定の位置において、前記照度情報の前記照度値が得られるように、前記第１発光ダイオードの放射強度と前記第２発光ダイオードの放射強度とを算出し、
前記調整部は、前記算出された前記第１発光ダイオードの前記放射強度に基づいて、前記第１発光ダイオードへ出力される第１駆動電流の大きさを算出する第１駆動部と、前記算出された前記第２発光ダイオードの前記放射強度に基づいて、前記第２発光ダイオードへ出力される第２駆動電流の大きさを算出する第２駆動部と、を備え、
前記第１発光ダイオードは、前記算出された大きさの前記第１駆動電流によって駆動され、
前記第２発光ダイオードは、前記算出された大きさの前記第２駆動電流によって駆動されることを特徴とする請求項７記載の表示装置。
【請求項９】
前記同期信号の前記到達範囲に関する複数のパターンを記憶する記憶部と、
前記複数のパターンのうち１つを選択するための要求情報が入力される入力部と、を更に備え、
前記決定部は、前記要求情報に従って選択されたパターンに応じて、前記第１発光ダイオードの放射強度と前記第２発光ダイオードの放射強度とを決定し、
前記調整部は、前記算出された前記第１発光ダイオードの前記放射強度に基づいて、前記第１発光ダイオードへ出力される第１駆動電流の大きさを算出する第１駆動部と、前記算出された前記第２発光ダイオードの前記放射強度に基づいて、前記第２発光ダイオードへ出力される第２駆動電流の大きさを算出する第２駆動部と、を備え、
前記第１発光ダイオードは、前記算出された大きさの前記第１駆動電流によって駆動され、
前記第２発光ダイオードは、前記算出された大きさの前記第２駆動電流によって駆動されることを特徴とする請求項７記載の表示装置。
【発明の詳細な説明】
【技術分野】
【０００１】
本発明は、視聴者に３次元的に知覚される映像を提供するための表示装置に関する。
【背景技術】
【０００２】
近年の映像技術の発達により、視聴者に３次元的に知覚される映像（３次元映像）を提供するための表示装置が開発されてきている。多くの場合、表示装置は、左眼で視聴されるための左眼フレーム画像と、右眼で視聴されるための右眼フレーム画像とを含む映像を表示する。また、表示装置は、映像のフレーム画像の表示に同期する同期信号を送信する。表示装置とともに用いられる眼鏡装置は、同期信号に基づいて、映像の視聴を補助するための立体視補助動作を実行する。かくして、映像のフレーム画像に同期した立体視補助動作を実行する眼鏡装置を着用した視聴者は、表示装置が表示する映像を立体的に知覚することができる（例えば、特許文献１参照）。
【０００３】
表示装置と眼鏡装置との間での同期信号の通信環境は、快適な映像の視聴を視聴者に提供するために重要である。このため、特許文献１は、表示装置を操作するためのリモートコントローラからの制御信号と、表示装置と眼鏡装置との間の同期信号との混信を防ぐための通信技術を開示する。
【先行技術文献】
【特許文献】
【０００４】
【特許文献１】特開平８−３３６１６７号公報
【発明の概要】
【発明が解決しようとする課題】
【０００５】
適切な同期信号の通信環境は、表示装置が置かれた環境に応じて変動する。例えば、複数の視聴者が１つの表示装置が表示する映像を同時に視聴する場合には、表示装置からの同期信号は、全ての視聴者に適切に到達する必要がある。オーディオ機器を販売する店内では、隣接して配設された表示装置からの同期信号との間での混信は、できる限り回避される必要がある。しかしながら、特許文献１の技術は、上述の課題に取り組むものではない。
【０００６】
上記実情を鑑みて、本発明は、表示装置が置かれた環境に応じて、同期信号の通信を調整することを可能にする表示装置を提供することを目的とする。
【課題を解決するための手段】
【０００７】
本発明の一の局面に係る表示装置は、映像を表示する表示部と、前記映像のフレーム画像の表示に同期する同期信号を送信する送信部と、前記同期信号の到達範囲を調整する調整部と、を備えることを特徴とする。
【０００８】
上記構成によれば、表示部による映像のフレーム画像の表示に同期する同期信号の到達範囲が、調整部によって調整されるので、同期信号の通信が、表示装置が置かれた環境に応じて調整されることとなる。
【０００９】
上記構成において、前記送信部は、前記表示部の幅方向において、互いに異なる位置に配設された第１送信部及び第２送信部を備え、前記調整部は、前記第１送信部から送信される前記同期信号が到達する第１の到達範囲と、前記第２送信部から送信される前記同期信号が到達する第２の到達範囲と、を決定する決定部と、を含むことが好ましい。
【００１０】
上記構成によれば、第１送信部及び第２送信部は、表示部の幅方向において、互いに異なる位置に配設される。決定部は、第１送信部から送信される同期信号が到達する第１の到達範囲と、第２送信部から送信される同期信号が到達する第２の到達範囲とを決定する。したがって、決定部の決定にしたがって、表示部の幅方向の同期信号の到達範囲の広がりが調整されることとなる。
【００１１】
上記構成において、前記第１の到達範囲及び前記第２の到達範囲は、部分的に重なり合うことが好ましい。
【００１２】
上記構成によれば、第１の到達範囲及び第２の到達範囲は、部分的に重なり合う。したがって、同期信号の到達範囲の形状を好適に調整することができる。
【００１３】
上記構成において、前記送信部は、前記表示部の幅方向において、前記第１送信部及び前記第２送信部とは異なる位置に配設された第３送信部を備え、前記決定部は、前記第３送信部から送信される前記同期信号が到達する第３の到達範囲を決定することが好ましい。
【００１４】
上記構成によれば、送信部は、表示部の幅方向において、第１送信部及び第２送信部とは異なる位置に配設された第３送信部を備えるので、表示部の幅方向の同期信号の到達範囲の広がりに対する調整が精度よくなされることとなる。
【００１５】
上記構成において、前記第３の到達範囲は、前記第１の到達範囲及び前記第２の到達範囲のうち少なくとも一方と部分的に重なり合うことが好ましい。
【００１６】
上記構成によれば、第３の到達範囲は、第１の到達範囲及び第２の到達範囲のうち少なくとも一方と部分的に重なり合うので、同期信号の到達範囲の形状を一層多様に調整することができる。
【００１７】
上記構成において、前記送信部は、前記表示部の幅方向において、前記第１送信部、前記第２送信部及び前記第３送信部とは異なる位置に配設された第４送信部を備え、前記決定部は、前記第４送信部から送信される前記同期信号が到達する第４の到達範囲を決定し、前記第１送信部及び前記第２送信部は、前記第１の到達範囲及び前記第２の到達範囲が部分的に重なり合うように互いに隣接して配置され、第１送信ユニットを構成し、前記第３送信部及び前記第４送信部は、前記第３の到達範囲及び前記第４の到達範囲が部分的に重なり合うように互いに隣接して配置され、第２送信ユニットを構成し、前記第１送信ユニットは、前記表示部の幅方向中心位置に対して、第１の方向にずれた位置に配設され、前記第２送信ユニットは、前記表示部の幅方向中心位置に対して、前記第１の方向とは反対方向にずれた位置に配設されることが好ましい。
【００１８】
上記構成によれば、送信部は、表示部の幅方向において、第１送信部、第２送信部及び第３送信部とは異なる位置に配設された第４送信部を備える。第１送信部及び第２送信部は、第１の到達範囲及び第２の到達範囲が部分的に重なり合うように互いに隣接して配置され、第１送信ユニットを構成する。また、第３送信部及び第４送信部は、第３の到達範囲及び第４の到達範囲が部分的に重なり合うように互いに隣接して配置され、第２送信ユニットを構成する。第１送信ユニットは、表示部の幅方向中心位置に対して、第１の方向にずれた位置に配設される。第２送信ユニットは、表示部の幅方向中心位置に対して、第１の方向とは反対方向にずれた位置に配設される。したがって、第１送信ユニット及び第２送信ユニットの単位で、同期信号の到達範囲を調整することによって、同期信号の幅方向の広がりが大幅に変更される。更に、第１送信ユニット及び第２送信ユニットそれぞれについて、同期信号の到達範囲を調整することによって、同期信号の幅方向の広がりが細かく調整されることとなる。かくして、同期信号の通信が、表示装置が置かれた環境に応じて調整されることとなる。
【００１９】
上記構成において、前記第１送信部は、赤外線を前記同期信号として発光させる第１発光ダイオードを含み、前記第２送信部は、赤外線を前記同期信号として発光させる第２発光ダイオードを含み、前記第１発光ダイオードは、前記第２発光ダイオードが提供する前記第２の到達範囲よりも細長い第１の到達範囲を提供する配光特性を有することが好ましい。
【００２０】
上記構成によれば、第１発光ダイオード及び第２発光ダイオードがそれぞれ第１送信部及び第２送信部として用いられ、赤外線を同期信号として発光させる。第１発光ダイオードは、第２発光ダイオードが提供する第２の到達範囲よりも細長い第１の到達範囲を提供する配光特性を有する。したがって、第１発光ダイオードの放射強度が増加され、第２発光ダイオードの放射強度が低減されることにより、細長い同期信号の到達範囲が提供されることとなる。一方、第１発光ダイオードの放射強度が低減され、第２発光ダイオードの放射強度が増加されることにより、幅方向に拡がった同期信号の到達範囲が提供されることとなる。更に、第１発光ダイオード及び第２発光ダイオードの放射強度がともに増大されることにより、幅広く且つ長い同期信号の到達範囲が提供されることとなる。したがって、表示装置が置かれた使用環境に応じて、同期信号の到達範囲が適切に定められやすくなる。
【００２１】
上記構成において、前記同期信号の前記到達範囲に関する要求情報が入力される入力部を更に備え、前記要求情報は、前記第１発光ダイオード及び前記第２発光ダイオードの位置と所定の位置との間の関係を表す位置情報と、該所定の位置において必要とされる前記赤外線の照度値に関する照度情報を含み、前記決定部は、前記所定の位置において、前記照度情報の前記照度値が得られるように、前記第１発光ダイオードの放射強度と前記第２発光ダイオードの放射強度とを算出し、前記調整部は、前記算出された前記第１発光ダイオードの前記放射強度に基づいて、前記第１発光ダイオードへ出力される第１駆動電流の大きさを算出する第１駆動部と、前記算出された前記第２発光ダイオードの前記放射強度に基づいて、前記第２発光ダイオードへ出力される第２駆動電流の大きさを算出する第２駆動部と、を備え、前記第１発光ダイオードは、前記算出された大きさの前記第１駆動電流によって駆動され、前記第２発光ダイオードは、前記算出された大きさの前記第２駆動電流によって駆動されることが好ましい。
【００２２】
上記構成によれば、入力部に、同期信号の到達範囲に関する要求情報が入力される。要求情報は、第１発光ダイオード及び第２発光ダイオードの位置と所定の位置との間の関係を表す位置情報と、所定の位置において必要とされる赤外線の照度値に関する照度情報を含む。決定部は、所定の位置において、照度情報の照度値が得られるように、第１発光ダイオードの放射強度と第２発光ダイオードの放射強度とを算出する。第１駆動部は、算出された第１発光ダイオードの放射強度に基づいて、第１駆動電流の大きさを算出する。また、第２駆動部は、算出された第２発光ダイオードの放射強度に基づいて、第２駆動電流の大きさを算出する。第１発光ダイオードは、算出された大きさの第１駆動電流によって駆動される。また、第２発光ダイオードは、算出された大きさの第２駆動電流によって駆動される。かくして、所定位置における発光ダイオードからの赤外線の照度が定められるので、適切に同期信号の到達範囲が定められることとなる。
【００２３】
上記構成において、前記同期信号の前記到達範囲に関する複数のパターンを記憶する記憶部と、前記複数のパターンのうち１つを選択するための要求情報が入力される入力部と、を更に備え、前記決定部は、前記要求情報に従って選択されたパターンに応じて、前記第１発光ダイオードの放射強度と前記第２発光ダイオードの放射強度とを決定し、前記調整部は、前記算出された前記第１発光ダイオードの前記放射強度に基づいて、前記第１発光ダイオードへ出力される第１駆動電流の大きさを算出する第１駆動部と、前記算出された前記第２発光ダイオードの前記放射強度に基づいて、前記第２発光ダイオードへ出力される第２駆動電流の大きさを算出する第２駆動部と、を備え、前記第１発光ダイオードは、前記算出された大きさの前記第１駆動電流によって駆動され、前記第２発光ダイオードは、前記算出された大きさの前記第２駆動電流によって駆動されることが好ましい。
【００２４】
上記構成によれば、入力部に入力される要求情報によって、記憶部に記憶された同期信号の到達範囲に関する複数のパターンのうち１つが選択される。決定部は、要求情報に従って選択されたパターンに応じて、第１発光ダイオードの放射強度と第２発光ダイオードの放射強度とを決定する。第１駆動部は、決定された第１発光ダイオードの放射強度に基づいて、第１駆動電流の大きさを算出する。また、第２駆動部は、決定された第２発光ダイオードの放射強度に基づいて、第２駆動電流の大きさを算出する。第１発光ダイオードは、算出された大きさの第１駆動電流によって駆動される。また、第２発光ダイオードは、算出された大きさの第２駆動電流によって駆動される。かくして、要求情報に応じて、所望のパターンの同期信号の到達範囲が定められることとなる。
【発明の効果】
【００２５】
上述の如く、本発明に係る表示装置は、表示装置が置かれた環境に応じて、同期信号の通信を調整することを可能にする。
【図面の簡単な説明】
【００２６】
【図１】本発明の第１実施形態に係る表示装置の構成を概略的に示すブロック図である。
【図２】図１に示される表示装置からの同期信号に従って立体視補助動作を行う眼鏡装置の構成を概略的に示すブロック図である。
【図３】図１に示される表示装置を用いた映像システムを概略的に示す模式図である。
【図４】同期信号の到達範囲を概略的に説明する図である。
【図５】放射強度と放射照度との関係を概略的に説明する模式図である。
【図６】特定の種類の発光ダイオードＬの配光特性を示す図である。
【図７】図１に示される表示装置の同期信号の到達範囲の決定方法を概略的に説明する図である。
【図８】図１に示される表示装置の第１駆動部及び第２駆動部が実行する処理を概略的に説明する図である。
【図９】図１に示される表示装置の同期信号の到達範囲を決定するためのパターン設定モードを例示する図である。
【図１０】本発明の第２実施形態に係る表示装置のハードウェア構成を概略的に示すブロック図である。
【図１１】本発明の第２実施形態に係る表示装置の機能構成を概略的に示すブロック図である。
【図１２】図１０及び図１１に示される表示装置によって設定される同期信号の到達範囲の様々なパターンを例示する図である。
【図１３】図１０及び図１１に示される表示装置が併設されたときに好適な同期信号の到達範囲のパターンを例示する。
【図１４】本発明の第３実施形態に係る表示装置の概略的な斜視図である。
【図１５】図１４に示される表示装置のハードウェア構成を概略的に示すブロック図である。
【図１６】図１４に示される表示装置の機能構成を概略的に示すブロック図である。
【発明を実施するための形態】
【００２７】
以下、本発明の一実施形態に係る表示装置について図面を参照して説明する。尚、図面に示される構成、配置或いは形状等並びに図面に関連する記載は、単に本発明の原理を容易に理解させることを目的とするものであり、本発明を何ら限定するものではない。
【００２８】
＜第１実施形態＞
（表示装置）
図１は、表示装置を概略的に示すブロック図である。図１（ａ）は、表示装置のハードウェア構成を示すブロック図である。図１（ｂ）は、表示装置の機能構成を示すブロック図である。
【００２９】
表示装置１００は、第１処理回路１１０、表示パネル１２０、送信回路１３０、受信素子１４０及び受信回路１５０を備える。
【００３０】
第１処理回路１１０には、符号化された映像信号が入力される。第１処理回路１１０は、映像信号を復号化する。尚、映像の符号化には、ＭＰＥＧ（Motion Picture Experts Group）−２、ＭＰＥＧ−４やＨ２６４等の方式がある。第１処理回路１１０は更に、３次元映像の表示に関する信号処理を行う。第１処理回路１１０は、復号化された映像信号を処理し、３次元映像として表示されるための映像信号にする。特定の実施形態において、第１処理回路１１０は、復号化された映像信号から左眼フレーム画像に対応する映像信号と右眼フレーム画像に対応する映像信号とを検出する。検出された映像信号は、左眼フレーム画像及び右眼フレーム画像として、表示パネル１２０に時間的に交互に表示される。他の特定の実施形態において、復号化された映像信号から左眼フレーム画像に対応する映像信号と右眼フレーム画像に対応する映像信号とが自動的に生成される。第１処理回路１１０は、生成された左眼フレーム画像に対応する映像信号及び右眼フレーム画像に対応する映像信号を表示パネル１２０に交互に出力する。３次元映像の表示に関する信号処理を行なった後、第１処理回路１１０は、表示パネル１２０の信号入力方式に適合した出力信号を生成する。
【００３１】
尚、第１処理回路１１０は、上記の処理以外の処理を実行してもよい。例えば、表示パネル１２０の特性に応じて、表示する映像の色彩を調整する処理や復号化された映像信号のフレーム画像間の映像（フレーム画像）を補間してもよい。この結果、映像のフレームレートが増加することとなる。
【００３２】
表示パネル１２０には、第１処理回路１１０から出力された映像信号（左眼フレーム画像及び右眼フレーム画像）が表示される。眼鏡装置を着用した視聴者は、眼鏡装置の立体視補助動作を通じて、表示パネル１２０に表示されるフレーム画像を３次元的に知覚することとなる。表示パネル１２０として、例えば、ＣＲＴディスプレイ、液晶ディスプレイ、ＰＤＰ（プラズマディスプレイパネル）、有機エレクトロルミネッセンスディスプレイや映像を表示可能な他の装置が好適に使用される。
【００３３】
第１処理回路１１０は、表示パネル１２０によって表示される映像信号に関する処理に加えて、表示パネル１２０でのフレーム画像の表示に同期する同期信号を生成する。生成された同期信号は、送信回路１３０へ出力される。
【００３４】
受信素子１４０は、例えば、表示装置１００を操作するためのリモートコントローラからの操作信号を受信する。本実施形態において、視聴者は、同期信号の到達範囲を、リモートコントローラの操作を通じて調整することができる。したがって、本実施形態において、リモートコントローラからの操作信号は、同期信号の到達範囲に関する要求情報を含む。
【００３５】
受信回路１５０は、受信素子１４０が受信した操作信号を解析する。視聴者が要求する操作が達成されるように、受信回路１５０は、解析結果に応じて、表示装置１００の各構成要素に視聴者からの要求に関する情報を出力する。本実施形態において、操作信号が、同期信号の到達範囲に関する要求情報を含むと解析されたとき、受信回路１５０は送信回路１３０へ、同期信号の到達範囲に関する要求情報を出力する。
【００３６】
送信回路１３０は、第２処理回路１６０、第１送信素子１７１及び第２送信素子１７２を含む。
【００３７】
第１送信素子１７１及び第２送信素子１７２には、本実施形態において、赤外線を発光する発光ダイオード（第１発光ダイオード及び第２発光ダイオード）が用いられる。したがって、赤外線が、表示装置１００と眼鏡装置との間の同期信号として用いられる。第１送信素子１７１及び第２送信素子１７２は互いに協働して１つの同期信号を出力する。尚、第１送信素子１７１として用いられる第１発光ダイオードの配光特性は、第２送信素子１７２として用いられる第２発光ダイオードの配光特性と異なるものであってもよい。本実施形態において、第１発光ダイオードからの赤外線が到達する範囲（眼鏡装置が受信可能な照度（放射照度）を保って到達できる範囲）は、第１の到達範囲と称され、第２発光ダイオードからの赤外線が到達する範囲（眼鏡装置が受信可能な照度（放射照度）を保って到達できる範囲）は、第２の到達範囲と称される。したがって、同期信号の到達範囲は、第１の到達範囲と第２の到達範囲とで定められる。尚、本実施形態の原理は、ＲＦ信号を用いた場合にも、同様に適用できる。したがって、必要に応じて、第１送信素子１７１及び第２送信素子１７２として、ＲＦ送信器が用いられてもよい。
【００３８】
第２処理回路１６０は、演算回路１６１、メモリ１６２、駆動制御回路１６３、第１駆動回路１６４及び第２駆動回路１６５を備える。
【００３９】
第１駆動回路１６４は、第１送信素子１７１に第１駆動電流を出力する。第２駆動回路１６５は、第２送信素子１７２に第２駆動電流を出力する。第１駆動電流の大きさに応じて、第１の到達範囲の広さが変動する。同様に、第２駆動電流の大きさに応じて、第２の到達範囲の広さが変動する。
【００４０】
演算回路１６１は、第１駆動電流の大きさ及び第２駆動電流の大きさを決定するための演算を行う。メモリ１６２には、演算回路１６１が第１駆動電流の大きさ及び第２駆動電流の大きさを決定するための演算に必要なデータ（例えば、第１発光ダイオード及び第２発光ダイオードの配光特性に関するデータ）が格納される。演算回路１６１には、受信回路１５０から同期信号の到達範囲に関する要求情報が入力される。演算回路１６１は、メモリ１６２に格納されたデータ及び受信回路１５０から入力される要求情報を用いて、第１駆動電流の大きさ及び第２駆動電流の大きさを決定するための演算を行う。第１駆動回路１６４及び第２駆動回路１６５それぞれは、演算回路１６１の演算結果に基づき決定された大きさの第１駆動電流及び第２駆動電流を出力する。
【００４１】
駆動制御回路１６３は、第１駆動回路１６４及び第２駆動回路１６５それぞれによる第１駆動電流及び第２駆動電流の出力タイミングを制御する。例えば、同期信号の送信が間欠式に行われる場合、駆動制御回路１６３は、同期信号が送信されるべき第１期間において、第１駆動回路１６４及び第２駆動回路１６５が第１駆動電流及び第２駆動電流を出力し、同期信号が送信されるべきでない第２期間において、第１駆動回路１６４及び第２駆動回路１６５が第１駆動電流及び第２駆動電流を出力しないように、第１駆動回路１６４及び第２駆動回路１６５を制御する。第１期間において、駆動制御回路１６３の制御下で、第１駆動回路１６４及び第２駆動回路１６５は、表示パネル１２０によるフレーム画像の表示に同期して、第１駆動電流及び第２駆動電流を出力する。
【００４２】
次に、図１（ｂ）を参照しつつ、表示装置１００の機能構成が説明される。表示装置１００は、復号化部２１１、Ｌ／Ｒ信号分離部２１２、立体信号処理部２１３、表示部２２０、同期信号生成部２１４、送信制御部２６３、入力部２５０、調整部２６０及び送信部２７０を備える。
【００４３】
復号化部２１１には、符号化された映像信号が入力される。復号化部２１１は、入力された映像信号を復号する。
【００４４】
Ｌ／Ｒ信号分離部２１２は、復号化部２１１が復号化した映像信号から左眼用と右眼用の映像信号（左眼フレーム画像及び右眼フレーム画像）を生成若しくは分離する。
【００４５】
立体信号処理部２１３は、眼鏡装置を通じて視認される映像を表示する表示部２２０の特性に応じて、Ｌ／Ｒ信号分離部２１２で分離された左眼用及び右眼用の映像信号を調整する。例えば、立体信号処理部２１３は、表示部２２０の表示面の大きさに応じて、左眼フレーム画像と右眼フレーム画像との間の視差量を調整する処理を実行する。尚、表示部２２０は、図１（ａ）に例示される表示パネル１２０に相当する。
【００４６】
同期信号生成部２１４は、Ｌ／Ｒ信号分離部２１２が生成した左眼フレーム画像及び右眼フレーム画像と同期又は対応した同期信号を生成する。この際、表示部２２０の特性に応じて、生成される同期信号の種類（例えば、波形）や生成タイミングが調整される。
【００４７】
復号化部２１１、Ｌ／Ｒ信号分離部２１２、立体信号処理部２１３並びに同期信号生成部２１４は、図１（ａ）に関連して説明されたハードウェア構成において、第１処理回路１１０に該当する。
【００４８】
表示部２２０は、立体信号処理部２１３によって処理された映像信号を映像として表示する。上述の如く、図１（ａ）に関連して説明されたハードウェア構成において、表示部２２０は、表示パネル１２０に該当する。
【００４９】
入力部２５０には、同期信号の到達範囲に関する視聴者からの要求情報が入力される。本実施形態において、入力部２５０は、図１（ａ）に関連して説明されたハードウェア構成において、表示装置１００を操作するために用いられるリモートコントローラからの操作信号を受信する受信素子１４０及び受信回路１５０に相当する。尚、同期信号の到達範囲に関する要求情報は、リモートコントローラの操作を通じてではなく、表示装置１００に備え付けられた入力ボタンが入力部２５０として用いられてもよい。
【００５０】
調整部２６０は、同期信号の到達範囲を調整する。調整部２６０は、決定部２６１、記憶部２６２、第１駆動部２６４及び第２駆動部２６５を含む。決定部２６１は、図１（ａ）のハードウェア構成において、演算回路１６１に相当し、第１駆動電流の大きさ及び第２駆動電流の大きさを決定する。この結果、第１送信部２７１から送信される同期信号が到達する第１到達範囲と、第２送信部２７２から送信される同期信号が到達する第２の到達範囲が決定される。記憶部２６２は、図１（ａ）のハードウェア構成において、メモリ１６２に相当する。記憶部２６２には、決定部２６１が第１駆動電流の大きさ及び第２駆動電流の大きさを決定するための演算に必要なデータ（例えば、第１発光ダイオード及び第２発光ダイオードの配光特性に関するデータ）が格納される。決定部２６１には、入力部２５０から同期信号の到達範囲に関する要求情報が入力される。決定部２６１は、記憶部２６２に格納されたデータ及び入力部２５０から入力される要求情報に基づき、第１駆動電流の大きさ及び第２駆動電流の大きさを決定するための演算を行う。第１駆動部２６４及び第２駆動部２６５それぞれは、図１（ａ）のハードウェア構成において、第１駆動回路１６４及び第２駆動回路１６５に相当し、決定部２６１による演算結果に基づき決定された大きさの第１駆動電流及び第２駆動電流を出力する。
【００５１】
送信制御部２６３は、図１（ａ）のハードウェア構成において、駆動制御回路１６３に相当し、第１駆動部２６４及び第２駆動部２６５それぞれによる第１駆動電流及び第２駆動電流の出力タイミングを制御する。例えば、同期信号の送信が間欠式に行われる場合、送信制御部２６３は、同期信号が送信されるべき第１期間において、第１駆動部２６４及び第２駆動部２６５が第１駆動電流及び第２駆動電流を出力し、同期信号が送信されるべきでない第２期間において、第１駆動部２６４及び第２駆動部２６５が第１駆動電流及び第２駆動電流を出力しないように、第１駆動部２６４及び第２駆動部２６５を制御する。第１期間において、駆動制御回路１６３の制御下で、第１駆動回路１６４及び第２駆動回路１６５は、表示部２２０によるフレーム画像の表示に同期して、第１駆動電流及び第２駆動電流を出力する。
【００５２】
送信部２７０は、第１送信部２７１及び第２送信部２７２を含む。第１送信部２７１は、図１（ａ）に示される第１送信素子１７１に相当する。第２送信部２７２は、第２送信素子１７２に相当する。送信部２７０は、映像のフレーム画像の表示に同期する同期信号を送信する。
【００５３】
第１送信部２７１には、第１駆動部２６４から第１駆動電流が入力される。第２送信部２７２には、第２駆動部２６５から第２駆動電流が入力される。第１送信部２７１及び第２送信部２７２は、互いに協働して１つの同期信号を出力する。第１送信部２７１は、第１の到達範囲において、同期信号を送信する。第２送信部２７２は、第２の到達範囲において、同期信号を送信する。上述の如く、第１の到達範囲及び第２の到達範囲は、決定部２６１が決定する第１駆動電流及び第２駆動電流の大きさに依存する。したがって、同期信号の到達範囲は、決定部２６１によって調整されることとなる。
【００５４】
（眼鏡装置）
図２は、眼鏡装置を概略的に示すブロック図である。図２（ａ）は、眼鏡装置のハードウェア構成を示すブロック図である。図２（ｂ）は、眼鏡装置の機能構成を示すブロック図である。図２と併せて、図１を参照しつつ、眼鏡装置が説明される。
【００５５】
眼鏡装置３００は、電池３１０、受信回路３２０、タイミング信号生成回路３３０、駆動回路３４０及び光学フィルタ部３５０を備える。
【００５６】
電池３１０は、眼鏡装置３００の電源として用いられる。受信回路３２０、タイミング信号生成回路３３０及び駆動回路３４０は、電池３１０から電力の供給を受ける。
【００５７】
受信回路３２０は、受信素子３２１及び第３処理回路３２２を含む。受信素子３２１は、表示装置１００から送信された同期信号を受信する。第３処理回路３２２は、受信素子３２１が受信した同期信号を所定の電気信号として、タイミング信号生成回路３３０へ出力する。本実施形態において、受信素子３２１には、赤外線を受光する受光素子が用いられるが、第１送信素子１７１及び第２送信素子１７２にＲＦ送信機が用いられる場合には、受信素子３２１としてＲＦ受信機が用いられてもよい。
【００５８】
タイミング信号生成回路３３０は、受信回路３２０から出力された電気信号に基づき、タイミング信号を生成する。タイミング信号は、受信素子３２１が受信した同期信号と同期するように生成される。生成されたタイミング信号は、駆動回路３４０へ出力される。
【００５９】
駆動回路３４０は、タイミング信号に基づいて、光学フィルタ部３５０を制御する。光学フィルタ部３５０は、左眼フィルタ３５１と右眼フィルタ３５２とを含む。表示部２２０が左眼フレーム画像を表示している間、駆動回路３４０の制御下で、左眼フィルタ３５１は視聴者の左眼へ到達する左眼フレーム画像からの光量を増大させる一方で、右眼フィルタ３５２は視聴者の右眼へ到達する左眼フレーム画像からの光量を低減させる。また、表示部２２０が右眼フレーム画像を表示している間、右眼フィルタ３５２は視聴者の右眼へ到達する右眼フレーム画像からの光量を増大させる一方で、左眼フィルタ３５１は視聴者の左眼へ到達する右眼フレーム画像からの光量を低減させる。
【００６０】
次に、図２（ｂ）を参照しつつ、眼鏡装置３００の機能構成が説明される。眼鏡装置３００は、電池３１０、受信部４２０、タイミング信号生成部４３０、制御部４４０及び光学フィルタ部３５０を備える。
【００６１】
電池３１０は、眼鏡装置３００の電源として用いられる。受信部４２０、タイミング信号生成部４３０及び制御部４４０は、電池３１０から電力の供給を受ける。
【００６２】
受信部４２０は、表示装置１００から送信された同期信号を受信し、受信した同期信号を所定の電気信号として、タイミング信号生成部４３０へ出力する。受信部４２０は、図２（ｂ）に関連して説明された受信回路３２０に該当する。
【００６３】
タイミング信号生成部４３０は、同期信号の波形や受信間隔に基づき、タイミング信号を生成する。例えば、左眼フレーム画像の表示に同期する同期信号の波形は、右眼フレーム画像の表示に同期する同期信号の波形と異なるものであってもよい。タイミング信号生成部４３０は、受信された同期信号の波形に基づき、左眼フレーム画像に同期する同期信号と右眼フレーム画像に同期する同期信号とを識別してもよい。タイミング信号生成部４３０は、左眼フレーム画像に同期する同期信号の受信間隔及び右眼フレーム画像に同期する同期信号の受信間隔を測定してもよい。送信制御部２６３が、間欠式に同期信号を送信している場合、同期信号が送信されない第２期間中、タイミング信号生成部４３０は、測定された左眼フレーム画像に同期する同期信号の受信間隔及び右眼フレーム画像に同期する同期信号の受信間隔に基づき、タイミング信号を生成し続けることができる。タイミング信号生成部４３０は、図２（ａ）のハードウェア構成において、タイミング信号生成回路３３０に相当する。
【００６４】
制御部４４０は、タイミング信号に基づいて、光学フィルタ部３５０を制御する。この結果、表示部２２０が左眼フレーム画像を表示している間、左眼フィルタ３５１は視聴者の左眼へ到達する左眼フレーム画像からの光量を増大させる一方で、右眼フィルタ３５２は視聴者の右眼へ到達する左眼フレーム画像からの光量を低減させる。また、表示部２２０が右眼フレーム画像を表示している間、右眼フィルタ３５２は視聴者の右眼へ到達する右眼フレーム画像からの光量を増大させる一方で、左眼フィルタ３５１は視聴者の左眼へ到達する右眼フレーム画像からの光量を低減させる。制御部４４０は、図２（ａ）のハードウェア構成において、駆動回路３４０に相当する。
【００６５】
（映像システム）
図３は、映像システムを概略的に示す。図３と併せて、図１及び図２を参照しつつ、映像システムが説明される。
【００６６】
映像システム５００は、図１に関連して説明された表示装置１００と、図２に関連して説明された眼鏡装置３００と、表示装置１００を操作するためのリモートコントローラ５５０とを含む。眼鏡装置３００は、第１眼鏡装置３００Ａと第２眼鏡装置３００Ｂとを含む。
【００６７】
上述の如く、表示装置１００は、３次元的に知覚されるための映像を表示する略矩形状の表示部２２０を含む。表示部２２０に表示される映像は、左眼で視認されるように撮像或いは描写された左眼フレーム画像と、右眼で視認されるように撮像或いは描写された右眼フレーム画像とを含む。本実施形態において、左眼フレーム画像及び右眼フレーム画像は、表示部２２０に交互に表示される。
【００６８】
表示装置１００は、表示部２２０の周縁を取り囲むように形成された略直方体形状の筐体１０１を含む。筐体１０１の下縁と表示部２２０の下縁との間に形成される筐体１０１の細長い帯面の略中央に、送信部２７０が配設される。上述の如く、送信部２７０は、第１送信部２７１及び第２送信部２７２を含む。第１送信部２７１及び第２送信部２７２は、協働して、同期信号を送信する。図３に示される如く、第１送信部２７１及び第２送信部２７２は表示部２２０の幅方向において、互いに異なる位置に配設される。また、第１送信部２７１及び第２送信部２７２は、互いに近接し、第１送信部２７１から送信される同期信号の第１の到達範囲は、第２送信部２７２から送信される同期信号の第２の到達範囲と部分的に重なり合う。
【００６９】
筐体１０１の帯面に端部に入力部２５０が配設される。表示装置１００を操作するための操作信号がリモートコントローラ５５０から送信されると、入力部２５０は操作信号の入力を受ける。操作信号が同期信号の到達範囲に関する要求情報を含むとき、入力部２５０は、調整部２６０へ要求情報を出力する。調整部２６０は、要求情報に基づき、第１送信部２７１及び第２送信部２７２へ供給される駆動電流を決定し、同期信号の到達範囲を調整する。
【００７０】
同期信号の到達範囲が、２つの眼鏡装置３００Ａ，３００Ｂを含むように定められると、送信部２７０からの同期信号は、両方の眼鏡装置３００Ａ，３００Ｂに受信される。眼鏡装置３００Ａ，３００Ｂは、受信した同期信号に基づき、表示される映像を立体的に知覚させるための立体視補助動作を実行する。眼鏡装置３００の立体視補助動作を通じて、視聴者は、左眼で左眼フレーム画像を視聴し、右眼で右眼フレーム画像を視聴する。この結果、視聴者は、表示部２２０上に表示された映像を３次元的（立体的）に知覚することとなる。映像が立体的に知覚されるとき、左眼フレーム画像及び右眼フレーム画像中のオブジェクト（左眼フレーム画像及び右眼フレーム画像中に描かれた物体の像）は、表示部２２０の平坦な面から飛び出たように或いは引っ込んだように知覚されることとなる。
【００７１】
眼鏡装置３００は、全体として、視力矯正用の眼鏡と同様の形状をなす。光学フィルタ部３５０の左眼フィルタ３５１は、視聴者の左眼前に配置される。また、右眼フィルタ３５２は、視聴者の右眼前に配置される。左眼フィルタ３５１及び右眼フィルタ３５２は、視聴者の左眼及び右眼へ透過する光の量を調整可能に形成される光学素子である。したがって、左眼フィルタ３５１及び右眼フィルタ３５２として、視聴者の左眼及び右眼へ透過する光路を開閉するシャッタ素子（例えば、液晶シャッタ）、視聴者の左眼及び右眼へ透過する光を偏光する偏光素子（例えば、液晶フィルタ）や光量を調整可能な他の光学素子が好適に用いられる。
【００７２】
表示部２２０が左眼フレーム画像を表示している間、左眼フィルタ３５１が視聴者の左眼への光の透過を許容する一方で、右眼フィルタ３５２は、視聴者の右眼への光の透過を抑制する。かくして、視聴者は左眼フレーム画像を左眼で視聴することができる。表示部２２０が右眼フレーム画像を表示している間、右眼フィルタ３５２が視聴者の右眼への光の透過を許容する一方で、左眼フィルタ３５１は、視聴者の左眼への光の透過を抑制する。かくして、視聴者は右眼フレーム画像を右眼で視聴することができる。このような立体視補助動作を通じて、視聴者は表示部２２０が表示する映像を３次元的に知覚することができる。
【００７３】
左眼フィルタ３５１と右眼フィルタ３５２との間に受信部４２０が配設される。表示装置１００の決定部２６１が決定した第１駆動電流及び第２駆動電流の大きさによって定められる同期信号の到達範囲内に受信部４２０が存するとき、受信部４２０は適切に同期信号を受信することができる。
【００７４】
（同期信号の到達範囲）
図４は、同期信号の到達範囲を概略的に説明する図である。図４（ａ）及び図４（ｂ）それぞれには、表示装置Ｄ（第１表示装置Ｄ１及び第２表示装置Ｄ２）が示されている。図４（ａ）に示される第１表示装置Ｄ１及び第２表示装置Ｄ２それぞれは、送信部Ｓとして、細長い（砲弾型の）配光特性を有する単一の発光ダイオードを用いている。図４（ｂ）に示される第１表示装置Ｄ１及び第２表示装置Ｄ２それぞれは、送信部Ｓとして、幅広い（球形の）配光特性を有する単一の発光ダイオードを用いている。
【００７５】
図４（ａ）に示される第１表示装置Ｄ１及び第２表示装置Ｄ２の送信部Ｓから送信される同期信号の到達範囲は、細長い領域Ｒ１，Ｒ２として示されている。細長い領域Ｒ１，Ｒ２は、互いに干渉していない。このことは、第１表示装置Ｄ１から送信される同期信号と第２表示装置Ｄ２から送信される同期信号との間での混信が好適に抑制されることを意味する。
【００７６】
図４（ａ）に示される６つの点Ａ１，Ａ２，Ｂ１，Ｂ２，Ｃ１，Ｃ２は、視聴者の位置を示す。点Ａ１に存する視聴者は、領域Ｒ１内に存するので、表示装置Ｄ１が表示する映像を好適に３次元的に知覚することができる。点Ａ２に存する視聴者は、領域Ｒ２内に存するので、表示装置Ｄ２が表示する映像を好適に３次元的に知覚することができる。しかしながら、点Ｂ１，Ｂ２，Ｃ１，Ｃ２に存する視聴者は、領域Ｒ１，Ｒ２の範囲外に存するので、第１表示装置Ｄ１及び第２表示装置Ｄ２が表示する映像を３次元的に知覚することはできない。
【００７７】
図４（ｂ）に示される第１表示装置Ｄ１及び第２表示装置Ｄ２の送信部Ｓから送信される同期信号の到達範囲（領域Ｒ１，Ｒ２）は、点Ｂ１，Ｂ２，Ｃ１，Ｃ２を含んでいるが、点Ａ１，Ａ２を含んでいない。したがって、点Ａ１，Ａ２に存する視聴者は、第１表示装置Ｄ１及び第２表示装置Ｄ２が表示する映像を３次元的に知覚することはできない。
【００７８】
点Ｃ１，Ｂ２は、領域Ｒ１，Ｒ２が互いに重なり合う領域Ｉの境界に位置する。したがって、点Ｃ１，Ｂ２に存する視聴者が着用する眼鏡装置３００（図３参照）は、第１表示装置Ｄ１からの同期信号及び第２表示装置Ｄ２からの同期信号の両方に基づき、立体視補助動作を実行しようとする（即ち、第１表示装置Ｄ１からの同期信号及び第２表示装置Ｄ２からの同期信号が混信する）。この結果、点Ｃ１，Ｂ２に存する視聴者も、第１表示装置Ｄ１及び第２表示装置Ｄ２が表示する映像を好適に３次元的に知覚することはできない。
【００７９】
点Ｂ１は、領域Ｒ１内に存するとともに、領域Ｒ２外に位置する。したがって、点Ｂ１に存する視聴者は、第１表示装置Ｄ１が表示する映像を好適に３次元的に知覚することができる。点Ｃ２は、領域Ｒ２内に存するとともに、領域Ｒ１外に位置する。したがって、点Ｃ２に存する視聴者は、第２表示装置Ｄ２が表示する映像を好適に３次元的に知覚することができる。
【００８０】
したがって、視聴者の位置及び／又は他の表示装置との位置関係に応じて、同期信号の到達範囲が調整されることが好ましい。以下に、同期信号の到達範囲の調整のための原理が説明される。
【００８１】
（配光特性）
図５は、放射強度と放射照度との関係を概略的に説明する模式図である。図５と併せて、図１及び図２を参照しつつ、放射強度と放射照度との関係が説明される。
【００８２】
図５には、放射強度Ｐ[mW/sr]の発光ダイオードＬと、発光ダイオードＬの放射方向線（発光ダイオードＬから延びる放射照度が最も高くなる直線）上において発光ダイオードＬから距離Ｒ[cm]だけ離れた位置に存する点Ａが示されている。図５には、点Ａにおける放射照度Ｐｗａ[mW/cm2]が更に示されている。以下に示される数式は、放射強度Ｐ、発光ダイオードＬから点Ａまでの距離Ｒ及び放射照度Ｐｗａとの間の関係を示す。
【００８３】
【数１】
2011228797.tif 000003
【００８４】
眼鏡装置３００の受信部４２０が検出できる放射照度Ｐｗｌであるとき、表示装置１００の送信部２７０から送信される同期信号の到達最大距離Ｒｕは、以下の数式によって表される。
【００８５】
【数２】
2011228797.tif 000004
【００８６】
図５には、発光ダイオードＬを中心として、点Ａを角度θだけ回転させた回転写像点Ｂが示されている。図５には、点Ｂにおける放射照度Ｐｗｂ[mW/cm2]が更に示されている。以下の数式は、放射係数Ｋを定義する。
【００８７】
【数３】
2011228797.tif 000005
【００８８】
放射係数Ｋを用いて、発光ダイオードＬから距離Ｒであって、発光ダイオードＬの放射方向線に対して角度θだけ傾斜した任意の位置における放射照度Ｐｗが、以下に示される数式によって表される。
【００８９】
【数４】
2011228797.tif 000006
【００９０】
図６は、特定の種類の発光ダイオードＬの配光特性を示す。図６（ａ）は、角度θと放射係数との間の関係を示す表である。図６（ｂ）は、図６（ａ）に示される角度θと放射係数Ｋとの間の関係に基づき描かれた配光特性を表すグラフである。図６と併せて、図５を参照しつつ、発光ダイオードＬの配光特性が説明される。
【００９１】
発光ダイオードＬから距離Ｒだけ放射方向線に沿って離間した位置Ａにおける放射照度Ｐｗａが測定された後、或いは、放射照度Ｐｗａが既知であるであるとき、角度θの値を変更しながら、図５に示される点Ｂにおける放射照度Ｐｗｂを測定することによって、上述の数式３に従って、図６（ａ）に示される角度θと放射係数Ｋとの間の関係が得られる。図６（ｂ）のグラフにおいて、直線で示される目盛り線は、角度θを示し、弧状の目盛り線は、放射係数Ｋを表す。図６（ｂ）の角度０°の目盛り線と放射係数０の目盛り線との交点に、発光ダイオードＬが配置されている。図６（ｂ）の略円を描く曲線は、所定の値の放射照度Ｐｗの等高線である。放射照度Ｐｗの値を、眼鏡装置３００の受信部４２０が検出できる放射照度Ｐｗｌとするとき、同期信号の到達範囲に相似する領域が図６（ｂ）のグラフ中に描かれる。また、図６（ｂ）のグラフ中に描かれた領域と同期信号の到達範囲との相似関係並びに上述の数式２を用いて示される関係に基づき、発光ダイオードＬを基点とした同期信号の到達範囲が算出されることとなる。
【００９２】
図７は、表示装置１００の同期信号の到達範囲の決定方法を概略的に説明する図である。図７と併せて、図１乃至図３を参照しつつ、表示装置１００の同期信号の到達範囲の決定方法が説明される。
【００９３】
上述の如く、表示装置１００は、第１送信部２７１及び第２送信部２７２を備える。第１送信部２７１及び第２送信部２７２には、発光ダイオードが用いられる。第１送信部２７１に用いられる発光ダイオードの放射強度はＰ１である。また、第１送信部２７１に用いられる発光ダイオードの放射係数はＫ１（θ）で表される。第２送信部２７２に用いられる発光ダイオードの放射強度はＰ２である。また、第２送信部２７２に用いられる発光ダイオードの放射係数はＫ２（θ）で表される。
【００９４】
図７には、互いに異なる３つの点Ｆ０，Ｆ１，Ｆ２が示されている。点Ｆ０における照射照度は、Ｐｗ０である。点Ｆ１における照射照度は、Ｐｗ１である。点Ｆ２における照射照度は、Ｐｗ２である。点Ｆ０は、第１送信部２７１と第２送信部２７２との間の中間位置から表示部２２０の表示面（表示パネル１２０）に対して、略直角方向に距離Ｒ０だけ離間した位置に設定される。尚、第１送信部２７１と第２送信部２７２との間の距離が無視できる程度に、第１送信部２７１及び第２送信部２７２は十分に近接している。点Ｆ１は、表示装置１００と点Ｆ０とを結ぶ線分の基端（表示面と当該線分との交点）を軸に、表示装置１００と点Ｆ０とを結ぶ線分を反時計回りに角度θ１だけ傾斜させた方向であって、第１送信部２７１と第２送信部２７２との間の中間位置から距離Ｒ１だけ離間した位置に存する。点Ｆ２は、表示装置１００と点Ｆ０とを結ぶ線分の基端（表示面と当該線分との交点）を軸に、表示装置１００と点Ｆ０とを結ぶ線分を時計回りに角度θ２だけ傾斜させた方向であって、第１送信部２７１と第２送信部２７２との間の中間位置から距離Ｒ２だけ離間した位置に存する。
【００９５】
図７に示される点Ｆ０，点Ｆ１，点Ｆ２における放射照度は、以下の数式５，６，７によって表される。
【００９６】
【数５】
2011228797.tif 000007
【００９７】
【数６】
2011228797.tif 000008
【００９８】
【数７】
2011228797.tif 000009
【００９９】
以下に示される数式８は、上記の数式５，６，７をまとめた行列式である。
【０１００】
【数８】
2011228797.tif 000010
【０１０１】
記憶部２６２は、第１送信部２７１及び第２送信部２７２に用いられる発光ダイオードの配光特性に関する情報（例えば、図６（ａ）及び／又は図６（ｂ）に示されるような情報）を予め格納している。リモートコントローラ５５０の操作を通じて入力される同期信号の到達範囲に関する要求情報は、送信部２７０に対する点Ｆ０，Ｆ１，Ｆ２の位置情報（距離情報Ｒ０，Ｒ１，Ｒ２及び角度情報θ１，θ２）及び点Ｆ０，Ｆ１，Ｆ２における放射照度Ｐｗ０，Ｐｗ１，Ｐｗ２に関する情報を含む。決定部２６１は、点Ｆ０，Ｆ１，Ｆ２の角度情報に基づき、記憶部２６２から各点Ｆ０，Ｆ１，Ｆ２における放射係数Ｋ１，Ｋ２の値を参照する。その後、距離情報Ｒ０，Ｒ１，Ｒ２及び点Ｆ０，Ｆ１，Ｆ２における放射照度Ｐｗ０，Ｐｗ１，Ｐｗ２を用いて、決定部２６１は、以下の数式９を演算することによって、第１送信部２７１及び第２送信部２７２の放射強度Ｐ１，Ｐ２を算出することができる。決定部２６１は、算出された放射強度Ｐ１の値を第１駆動部２６４へ出力する。また、決定部２６１は、算出された放射強度Ｐ２の値を第２駆動部２６５へ出力する。
【０１０２】
【数９】
2011228797.tif 000011
【０１０３】
図８は、第１駆動部２６４及び第２駆動部２６５が実行する処理を概略的に説明する図である。図８（ａ）は、駆動電流と発光ダイオードの放射強度との間の関係を示す模式図である。図８（ｂ）は、第１駆動部２６４及び第２駆動部２６５の入出力を示す。図８と合わせて、図１を参照しつつ、第１駆動部２６４及び第２駆動部２６５が実行する処理が説明される。
【０１０４】
図８（ａ）に示されるように、発光ダイオードＬに供給される電流ＩＦと発光ダイオードＬの放射強度Ｐとの間には、比例関係が成立する。したがって、第１駆動部２６４及び第２駆動部２６５それぞれは、第１送信部２７１及び第２送信部２７２として用いられる発光ダイオードの種類に応じて定められる固有の比例係数ＫＬ１，ＫＬ２を、決定部２６１が第１駆動部２６４及び第２駆動部２６５に出力した放射強度Ｐ１，Ｐ２に乗算することによって、第１駆動電流の値ＩＦ１及び第２駆動電流の値ＩＦ２を算出することができる。第１駆動部２６４が算出された値の第１駆動電流を第１送信部２７１に出力することにより、第１送信部２７１は、放射強度Ｐ１で赤外線を発光する。同様に、第２駆動部２６５が算出された値の第２駆動電流を第２送信部２７２に出力することにより、第２送信部２７２は、放射強度Ｐ２で赤外線を発光する。かくして、互いに異なる３つの位置における放射照度に基づき、第１駆動電流及び第２駆動電流の大きさが定まり、同期信号の到達範囲が適切に調整されることとなる。尚、同期信号の到達範囲は、３以上の互いに異なる位置における放射照度に基づき決定されてもよい。
【０１０５】
図３に示される眼鏡装置３００Ａを装着した視聴者が点Ｆ０に存し、眼鏡装置３００Ｂを装着した視聴者が点Ｆ０に存するとき、視聴者は、リモートコントローラ５５０を用いて、眼鏡装置３００の受信部４２０が検出できる放射照度Ｐｗｌ（送信部２７０に用いられる発光ダイオードの規格によって定められる）を点Ｆ０，Ｆ１における放射照度Ｐｗ０，Ｐｗ１として入力することができる。また、点Ｆ２には、視聴者は存在しないので、点Ｆ２における放射照度Ｐｗ２として値「０」を入力することができる。また、視聴者は、リモートコントローラ５５０を用いて、点Ｆ０，Ｆ１，Ｆ２の位置情報を入力することができる。この結果、決定部２６１は、点Ｆ１，Ｆ２において表示部２２０が表示する映像が３次元的に知覚されるために必要とされる最小の同期信号の到達範囲を設定することが可能となる。
【０１０６】
図９は、より実用的な同期信号の到達範囲の設定手法を概略的に説明する図である。図９と併せて、図１乃至図３を参照しつつ、同期信号の到達範囲の設定手法が説明される。図７に関連して説明された同期信号の到達範囲の設定手法では、互いに異なる３以上の位置における放射照度を入力されたが、図９に関連して説明される設定では、放射照度の入力は、表示部２２０に表示される予め定められたパターンに従ってなされる。
【０１０７】
記憶部２６２は、予め、同期信号の到達範囲に関するいくつかのパターンを記憶していてもよい。図９に示される如く、表示装置１００の表示部２２０は、視聴者がリモートコントローラ５５０を操作し、同期信号の到達範囲を選択するための「パターン設定モード」を表示してもよい。
【０１０８】
図９に示されるパターン設定モードにおいて、同期信号の到達範囲に関する３つのパターンＰｔ１，Ｐｔ２，Ｐｔ３が示されている。また、表示部２２０は、３つのパターンＰｔ１，Ｐｔ２，Ｐｔ３に加えて、３次元的に知覚されるように描かれたオブジェクトＯを表示する。
【０１０９】
記憶部２６２は、各パターンＰｔ１，Ｐｔ２，Ｐｔ３に対応する第１駆動電流及び第２駆動電流のデータを予め格納している。視聴者がリモートコントローラ５５０を操作して、３つのパターンのうち１つにカーソルＣｕを合わせることにより、入力部２５０への要求情報の入力がなされる。決定部２６１は、この要求情報の入力により、記憶部２６２を参照し、選択されたパターンに対して定められた放射強度Ｐ１，Ｐ２に関する情報を第１駆動部２６４及び第２駆動部２６５へ出力する。第１駆動部２６４は、選択されたパターンに対して定められた第１駆動電流を第１送信部２７１へ出力する。この結果、第１送信部２７１は、選択されたパターンに対して定められた放射強度Ｐ１で発光する。同様に、第２駆動部２６５は、選択されたパターンに対して定められた第２駆動電流を第２送信部２７２へ出力する。この結果、第２送信部２７２は、選択されたパターンに対して定められた放射強度Ｐ２で発光する。
【０１１０】
視聴者は、オブジェクトＯを視聴しながら、表示されたパターンＰｔ１，Ｐｔ２，Ｐｔ３のうち最も良好にオブジェクトＯを３次元的に知覚することができるパターンを見いだすことができる。視聴者は、最終的に、最も適切なパターンを決定し、パターン選択モードを終了する。パターン選択モードが終了した後、送信部２７１は、決定されたパターンに従って、同期信号を送信する。
【０１１１】
本実施形態において、第１送信部２７１及び第２送信部２７２は、第１の到達範囲と第２の到達範囲とが互いに重なり合うように近接して配置されたが、第１送信部２７１及び第２送信部２７２が、第１の到達範囲と第２の到達範囲とが互いに重ならない程度に十分に離間した位置（例えば、表示装置１００の前面の左右端）に配設されてもよい。
【０１１２】
＜第２実施形態＞
第１実施形態の表示装置１００は、２つの送信部（第１送信部２７１及び第２送信部２７２）を備え、これらの放射強度を独立して調整することにより同期信号の到達範囲の調整がなされたが、３以上の送信部が用いられてもよい。送信部の数を増やすことにより、一層多くの同期信号の到達範囲のパターンを設定することが可能となる。
【０１１３】
図１０は、第２実施形態に係る表示装置のハードウェア構成を示すブロック図である。図１１は、第２実施形態に係る表示装置の機能構成を示すブロック図である。第１実施形態に係る表示装置１００との相違点が以下に説明される。
【０１１４】
図１０に示されるハードウェア構成において、表示装置１００Ａの送信回路１３０Ａは、第１送信素子１７１及び第２送信素子１７２に加えて、第３送信素子１７３を備える。第３送信素子１７３は、第１送信素子１７１及び第２送信素子と同様に発光ダイオード（第３発光ダイオード）を用いて形成される。また、送信回路１３０Ａの第２処理回路１６０Ａは、第３送信素子１７３へ第３駆動電流を出力する第３駆動回路１６６を備える。また、第２処理回路１６０Ａの演算回路１６１Ａは、第１駆動回路１６４が出力する第１駆動電流及び第２駆動回路１６５が出力する第２駆動電流だけでなく、第３駆動回路１６６が出力する第３駆動電流を決定するための演算を実行する。
【０１１５】
図１１に示される機能構成において、表示装置１００Ａの送信部２７０Ａは、第３送信素子１７３に相当する第３送信部２７３を備える。以下の説明において、第３送信部２７３から送信される同期信号の到達範囲は、第３の到達範囲と称される。また、第２処理回路１６０Ａに相当する調整部２６０Ａは、第３送信部２７３を駆動する第３駆動部２６６を備える。第３駆動部２６６は、第３送信部２７３を駆動するための第３駆動電流を出力する。演算回路１６１Ａに相当する決定部２６１Ａは、第１駆動部２６４が出力する第１駆動電流及び第２駆動部２６５が出力する第２駆動電流だけでなく、第３駆動部２６６が出力する第３駆動電流を決定するための演算を実行する。この結果、決定部２６１Ａは、第１の到達範囲及び第２の到達範囲に加えて、第３の到達範囲を決定することとなる。以下の数式は、決定部２６１Ａが第１送信部２７１、第２送信部２７２及び第３送信部２７３の放射強度Ｐ１，Ｐ２，Ｐ３を算出するために用いる演算式を表す。
【０１１６】
【数１０】
2011228797.tif 000012
【０１１７】
上記の数式９と数式１０とを比較することにより明らかであるが、第３送信部２７３が用いられる場合、逆行列中に、第３送信部２７３として用いられる発光ダイオードの放射係数はＫ３（θ）を係数とする要素列が追加されている。かくして、４以上の発光ダイオードが送信部２７０Ａに用いられる場合には、決定部２６１Ａが実行する演算式中の逆行列中に、使用される発光ダイオードの放射係数を係数とする要素列を追加することによって、決定部２６１Ａは全ての発光ダイオードに対する放射強度を決定することができる。
【０１１８】
図１２は、同期信号の到達範囲の様々なパターンを示す。図１２（ａ）乃至図１２（ｄ）は、それぞれ異なる放射強度Ｐ１，Ｐ２，Ｐ３の組み合わせ下において定まる同期信号の到達範囲のパターンを示す。
【０１１９】
図１２に示される表示装置１００Ａの略中央に第１送信部２７１が配設され、第１送信部２７１に隣接して第２送信部２７２及び第３送信部２７３が配設される。第１送信部２７１，第２送信部２７２及び第３送信部２７３は、表示装置１００Ａ（表示部２２０）の幅方向において互いに異なる位置に配設される。図１２中の点線は、第１送信部２７１，第２送信部２７２及び第３送信部２７３それぞれが単独で用いられたときの最大放射強度（Ｐ１ｍａｘ，Ｐ２ｍａｘ，Ｐ３ｍａｘ）における同期信号の到達範囲（最大の第１の到達範囲，最大の第２の到達範囲，最大の第３の到達範囲）を示す。本実施形態において、第３の到達範囲が第１の到達範囲及び第２の到達範囲のうち少なくとも一方に重なり合う程度に、第３送信部２７３は第１送信部２７１及び第２送信部２７２に近接して配設される。
【０１２０】
図１２（ａ）に示されるように、第１送信部２７１には、細長い配光特性を有する発光ダイオードが用いられている。図１２（ｂ）及び図１２（ｃ）に示されるように、第２送信部２７２及び第３送信部２７３には、略円形の放射範囲を描く配光特性の発光ダイオードが用いられている。図１２（ｄ）に示される表示装置１００Ａにおいて、第１送信部２７１に用いられる発光ダイオードが消灯され、第２送信部２７２及び第３送信部２７３が最大の放射強度Ｐ２ｍａｘ，Ｐ３ｍａｘで発光されている。図１２（ｄ）中、細い実線は、第２送信部２７２及び第３送信部２７３それぞれが単独で最大の放射強度Ｐ２ｍａｘ，Ｐ３ｍａｘで発光したときの同期信号の到達範囲（第２の到達範囲及び第３の到達範囲）を示す。図１２（ｄ）中、太い実線は、第２の到達範囲と第３の到達範囲とを合成して得られる実際の同期信号の到達範囲を示す。図１２（ｄ）に示される如く、第１送信部２７１に用いられる発光ダイオードが消灯され、第２送信部２７２及び第３送信部２７３が最大の放射強度Ｐ２ｍａｘ，Ｐ３ｍａｘで発光されるとき、表示装置１００Ａの前方に存する視聴者Ｖ全てを網羅するような同期信号の到達範囲が設定されることとなる。
【０１２１】
図１３は、２つの表示装置１００Ａを併設したときに好適な同期信号の到達範囲のパターンを例示する。図１３と併せて、図１２を参照しつつ、同期信号の到達範囲のパターンが更に説明される。
【０１２２】
説明の明瞭化のため、左方の表示装置１００Ａは、第１表示装置１０１Ａと称され、右方の表示装置１００Ａは第２表示装置１０２Ａと称される。第１表示装置１０１Ａ及び第２表示装置１０２Ａはそれぞれ、図１２に示された表示装置１００Ａと同様の構成を備える。
【０１２３】
第１表示装置１０１Ａの第１送信部２７１及び第２送信部２７２は、それぞれの最大放射強度Ｐ１ｍａｘ，Ｐ２ｍａｘの半分の放射強度で発光している一方で、第３送信部２７３に用いられる発光ダイオードは消灯されている。図１３中、細い実線は、第１送信部２７１及び第２送信部２７２それぞれからの同期信号の到達範囲（第１の到達範囲及び第２の到達範囲）を示す。図１３中、太い実線は、第１の到達範囲及び第２の到達範囲を合成して得られる実際の同期信号の到達範囲である。
【０１２４】
第２表示装置１０１Ａの第１送信部２７１及び第３送信部２７３は、それぞれの最大放射強度Ｐ１ｍａｘ，Ｐ３ｍａｘの半分の放射強度で発光している一方で、第２送信部２７２に用いられる発光ダイオードは消灯されている。図１３中、細い実線は、第１送信部２７１及び第３送信部２７３それぞれからの同期信号の到達範囲（第１の到達範囲及び第３の到達範囲）を示す。図１３中、太い実線は、第１の到達範囲及び第３の到達範囲を合成して得られる実際の同期信号の到達範囲である。
【０１２５】
図１３に示される如く、第２表示装置１０２Ａ側に配設された第１表示装置１０１Ａの第３送信部２７３の放射強度と、第１表示装置１０１Ａ側に配設された第２表示装置１０２Ａの第２送信部２７２の放射強度とを低減することによって、第１表示装置１０１Ａと第２表示装置１０２Ａとの間での同期信号の混信が好適に抑制される。また、第１表示装置１０１Ａの第１送信部２７１及び第２送信部２７２の放射強度並びに第２表示装置１０２Ａの第１送信部２７１及び第３送信部２７３の放射強度を増大させることによって、第１表示装置１０１Ａ及び第２表示装置１０２Ａを視聴するための広い領域（同期信号の到達範囲）が提供されることとなる。
【０１２６】
本実施形態において、送信部２７０Ａのうち中央に配置された第１送信部２７１に用いられる第１発光ダイオードは、第２送信部２７２及び第３送信部２７３にそれぞれ用いられる第２発光ダイオード及び第３発光ダイオードよりも細長い配光特性を有するが、他の実施形態において、第２発光ダイオード及び第３発光ダイオードが第１発光ダイオードよりも細長い配光特性を有していてもよい。
【０１２７】
＜第３実施形態＞
第１実施形態及び第２実施形態に係る説明において、送信部２７０，２７０Ａは、表示装置１００，１００Ａの略中央（表示部２２０の幅方向において）に配設されたが、他の位置に送信部が形成されてもよい。
【０１２８】
図１４は、第３実施形態に係る表示装置を概略的に示す斜視図である。以下に、第１実施形態及び第２実施形態に対する相違点が説明される。
【０１２９】
表示装置１００Ｂは、送信部２７０Ｂとして用いられる第１送信ユニット２８１及び第２送信ユニット２８２を備える。第１送信ユニット２８１及び第２送信ユニット２８２は、筐体１０１の下縁と表示部２２０の下縁との間に形成される筐体１０１の細長い帯面の左右端近くにそれぞれ配設される（即ち、表示部２２０の幅方向中心位置に対して、表示部２２０の幅方向に互いに反対の方向にずれた位置に配置される）。
【０１３０】
第１送信ユニット２８１は、第１送信部２７１及び第２送信部２７２を含む。表示部２２０の幅方向において互いに異なる位置に配置された第１送信部２７１及び第２送信部２７２は、第１の到達範囲と第２の到達範囲とが互いに重なり合う程度に近接している。第２送信ユニット２８２は、第３送信部２７３及び第４送信部２７４を含む。以下の説明において、第４送信部２７４から送信される同期信号が到達する範囲は、第４の到達範囲と称される。表示部２２０の幅方向において互いに異なる位置に配置された第３送信部２７３及び第４送信部２７４は、第３の到達範囲と第４の到達範囲とが互いに重なり合う程度に近接している。第４送信部２７４には、第１送信部２７１、第２送信部２７２及び第３送信部２７３と同様に発光ダイオード（第４発光ダイオード）が用いられる。
【０１３１】
図１５は、表示装置１００Ｂのハードウェア構成を示すブロック図である。図１６は、表示装置１００Ｂの機能構成を示すブロック図である。図１５及び図１６と併せて、図１４を参照しつつ、表示装置１００Ｂの構成が説明される。
【０１３２】
図１５に示されるハードウェア構成において、表示装置１００Ｂの送信回路１３０Ｂは、第１送信素子１７１、第２送信素子１７２、第３送信素子１７３及び第４送信素子１７４を備える。第１送信素子１７１は、第１送信部２７１として用いられる。第２送信素子１７２は、第２送信部２７２として用いられる。第３送信素子１７３は、第３送信部２７３として用いられる。第４送信素子１７４は、第４送信部２７４として用いられる。第１送信素子１７１及び第２送信素子１７２は、第１送信ユニット２８１として用いられる。第３送信素子１７３及び第４送信素子１７４は、第２送信ユニット２８２として用いられる。
【０１３３】
送信回路１３０Ｂの第２処理回路１６０Ｂは、第１送信素子１７１へ第１駆動電流を出力する第１駆動回路１６４、第２送信素子１７２へ第２駆動電流を出力する第２駆動回路１６５、第３送信素子１７３へ第３駆動電流を出力する第３駆動回路１６６及び第４送信素子１７４へ第４駆動電流を出力する第４駆動回路１６７を備える。第２処理回路１６０Ｂの演算回路１６１Ｂは、第１駆動回路１６４が出力する第１駆動電流、第２駆動回路１６５が出力する第２駆動電流、第３駆動回路１６６が出力する第３駆動電流及び第４駆動回路１６７が出力する第４駆動電流を決定するための演算を実行する。
【０１３４】
図１６に示される機能構成において、表示装置１００Ｂの送信部２７０Ｂは、上述の如く、第１送信部２７１、第２送信部２７２、第３送信部２７３及び第４送信部２７４を備える。また、第２処理回路１６０Ｂに相当する調整部２６０Ｂは、第１送信部２７１を駆動する第１駆動部２６４、第２送信部２７２を駆動する第２駆動部２６５、第３送信部２７３を駆動する第３駆動部２６６、第４送信部２７４を駆動する第４駆動部２６７を備える。第１駆動部２６４は、第１送信部２７１を駆動するための第１駆動電流を出力する。第２駆動部２６５は、第２送信部２７２を駆動するための第２駆動電流を出力する。第３駆動部２６６は、第３送信部２７３を駆動するための第３駆動電流を出力する。第４駆動部２６７は、第４送信部２７４を駆動するための第４駆動電流を出力する。
【０１３５】
演算回路１６１Ｂに相当する決定部２６１Ｂは、第１駆動部２６４が出力する第１駆動電流、第２駆動部２６５が出力する第２駆動電流、第３駆動部２６６が出力する第３駆動電流及び第４駆動部２６７が出力する第４駆動電流を決定するための演算を実行する。かくして、決定部２６１Ｂは、第１の到達範囲、第２の到達範囲、第３の到達範囲及び第４の到達範囲を決定する。
【０１３６】
図７に関連して説明された点Ｆ０，Ｆ１，Ｆ２の位置情報（距離情報Ｒ０，Ｒ１，Ｒ２及び角度情報θ１，θ２）は、送信ユニット２８１，２８２単位で実行される。第１送信部２７１及び第２送信部２７２の放射強度は、第１送信ユニット２８１を基準として定められた点Ｆ０，Ｆ１，Ｆ２の位置情報（距離情報Ｒ０，Ｒ１，Ｒ２及び角度情報θ１，θ２）を用いて算出される。第３送信部２７３及び第４送信部２７４の放射強度は、第２送信ユニット２８２を基準として定められた点Ｆ０，Ｆ１，Ｆ２の位置情報（距離情報Ｒ０，Ｒ１，Ｒ２及び角度情報θ１，θ２）を用いて算出される。
【０１３７】
本実施形態において、第１送信ユニット２８１側に他の表示装置が配置されたとき、第１送信ユニット２８１からの発光を抑制し、第２送信ユニット２８２からの発光を増大させることにより、他の表示装置との同期信号の混信を抑制しつつ、比較的広い同期信号の到達範囲を提供することができる。また、第２送信ユニット２８１側に他の表示装置が配置されたとき、第２送信ユニット２８２からの発光を抑制し、第１送信ユニット２８１からの発光を増大させることにより、他の表示装置との同期信号の混信を抑制しつつ、比較的広い同期信号の到達範囲を提供することができる。
【０１３８】
表示装置１００Ｂの両側に他の表示装置が配設されたときには、表示装置１００Ｂの側縁に近い送信部（本実施形態において、第１送信部２７１及び第４送信部２７４）の発光を抑制しつつ、表示装置１００Ｂの中央部に近い送信部（本実施形態において、第２送信部２７２及び第３送信部２７３）の発光を増大させることにより、他の表示装置との同期信号の混信を抑制しつつ、比較的広い同期信号の到達範囲を提供することができる。
【０１３９】
図１４に示される表示装置１００Ｂにおいて、送信部２７０Ｂのうち第１送信部２７１及び第４送信部２７４が表示部２２０の幅方向において最も端に位置している。したがって、第１送信部２７１及び第４送信部２７４にそれぞれ用いられる第１発光ダイオード及び第４発光ダイオードが、第２送信部２７２及び第３送信部２７３それぞれに用いられる第２発光ダイオード及び第３発光ダイオードよりも細長い配光特性を有してもよい。この結果、第１の到達範囲及び第４到達範囲は、第２到達範囲及び第３到達範囲より幅狭となり、他の表示装置からの同期信号との混信が好適に抑制されることとなる。
【０１４０】
第１実施形態乃至第３実施形態において、視聴者の位置情報（図７に関連して説明された点Ｆ０，Ｆ１，Ｆ２に対する距離情報Ｒ０，Ｒ１，Ｒ２及び角度情報θ１，θ２）は、リモートコントローラ及び／又は眼鏡装置との間の通信を用いて取得されてもよい。
【０１４１】
例えば、表示装置からリモートコントローラ及び／又は眼鏡装置へ任意の信号を送信し、リモートコントローラ及び／又は眼鏡装置が当該任意の信号に応答する応答信号を返信してもよい。表示装置は、互いに異なる複数の受信部を備え、これら受信部を用いて応答信号を受信してもよい。この結果、表示装置からの信号の出力時刻と、各受信部における受信時刻とから、表示装置に対するリモートコントローラ及び／又は眼鏡装置の相対位置が算出されることとなる。
【０１４２】
表示装置は、例えば、算出された相対位置を含むような同期信号の到達範囲のパターンのみを、図９に示されるパターン設定モード中のパターンとして表示してもよい。かくして、視聴者は効率的に同期信号の到達範囲のパターンを決定することが可能となる。
【産業上の利用可能性】
【０１４３】
本発明は、３次元映像を視聴するための技術に好適に利用可能である。
【符号の説明】
【０１４４】
１００，１００Ａ，１００Ｂ・・・・・表示装置
２２０・・・・・・・・・・・・・・・表示部
２５０・・・・・・・・・・・・・・・入力部
２６０，２６０Ａ，２６０Ｂ・・・・・調整部
２６１，２６１Ａ，２６１Ｂ・・・・・決定部
２６２・・・・・・・・・・・・・・・記憶部
２６４・・・・・・・・・・・・・・・第１駆動部
２６５・・・・・・・・・・・・・・・第２駆動部
２７０，２７０Ａ，２７０Ｂ・・・・・送信部
２７１・・・・・・・・・・・・・・・第１送信部
２７２・・・・・・・・・・・・・・・第２送信部
２７３・・・・・・・・・・・・・・・第３送信部
２７４・・・・・・・・・・・・・・・第４送信部
２８１・・・・・・・・・・・・・・・第１送信ユニット
２８２・・・・・・・・・・・・・・・第２送信ユニット
【図１】
2011228797.tif 000013
【図２】
2011228797.tif 000014
【図３】
2011228797.tif 000015
【図４】
2011228797.tif 000016
【図５】
2011228797.tif 000017
【図６】
2011228797.tif 000018
【図７】
2011228797.tif 000019
【図８】
2011228797.tif 000020
【図９】
2011228797.tif 000021
【図１０】
2011228797.tif 000022
【図１１】
2011228797.tif 000023
【図１２】
2011228797.tif 000024
【図１３】
2011228797.tif 000025
【図１４】
2011228797.tif 000026
【図１５】
2011228797.tif 000027
【図１６】
2011228797.tif 000028